(57)【要約】【課題】ユーザが使用する端末の制御負担を抑制しつつ、複数のユーザが同時に同一情報を共有することが簡単にできる情報共有化システムを提供すること。【解決手段】プロキシサーバは、記憶部に、共有グループ内で共有閲覧するＷｅｂページのページデータを共有ＩＤに関係付けて記憶し、携帯電話からアドレスを受信した際、共有ＩＤと関係付けられたシーケンス番号よりも、携帯電話から受信したシーケンス番号の方が新しいか判定した（ステップＳ１４）。そして、プロキシサーバは、この判定結果が否定の場合、共有ＩＤに関係付けられて記憶部に記憶されているＷｅｂページのページデータを携帯電話に送信した。【選択図】        図３
2005275528.tif 000002
【特許請求の範囲】
【請求項１】
複数のユーザがそれぞれ使用する複数の使用端末及びアドレスにて指定されることによりＷｅｂページのページデータを送信するＷｅｂサーバとネットワークを介して接続され、前記複数のユーザの使用端末から特定された共有グループに属するユーザの使用端末がＷｅｂページのページデータを共有することができるようにＷｅｂページのページデータをＷｅｂサーバから受信して前記共有グループに属するユーザの使用端末に送信する情報共有化装置において、
共有グループを示す共有番号に関係付けて共有グループ内で共有閲覧するＷｅｂページのページデータを記憶する記憶手段と、
前記使用端末からＷｅｂページのページデータを指定するアドレスを受信した際、共有番号に関係付けられて前記記憶手段に記憶されているＷｅｂページのページデータと、前記使用端末に表示されているＷｅｂページのページデータを比較し、一致するか否か判定する判定手段と、
前記判定手段の判定結果が否定の場合、共有番号に関係付けられて前記記憶手段に記憶されているＷｅｂページのページデータを前記使用端末に送信する送信手段を有することを特徴とする情報共有化装置。
【請求項２】
前記送信手段は、前記判定手段の判定結果が肯定の場合、前記使用端末から受信したアドレスに基づいて、前記ＷｅｂサーバからＷｅｂページのページデータを受信し、当該ページデータを前記共有グループ内で共有閲覧するＷｅｂページのページデータとして前記記憶手段に前記共有番号毎に記憶すると共に、当該ページデータを前記使用端末に送信することを特徴とする請求項１に記載の情報共有化装置。
【請求項３】
Ｗｅｂページの中から検出したボタンオブジェクトにＷｅｂページのページデータを指定するアドレスが関係付けられている場合、前記ボタンオブジェクトが前記使用端末のボタン操作にて選択されたとき、Ｗｅｂページのページデータを指定するアドレス及び共有番号が前記情報共有化装置に送信されるように前記ボタンオブジェクトを変更する変更手段を有することを特徴とする請求項１又は２に記載の情報共有化装置。
【請求項４】
複数のユーザがそれぞれ使用する複数の使用端末及びアドレスにて指定されることによりＷｅｂページのページデータを送信するＷｅｂサーバと、ネットワークを介して接続され、前記複数のユーザの使用端末から特定された共有グループに属するユーザがＷｅｂページのページデータを共有できるようにＷｅｂページのページデータをＷｅｂサーバから受信して前記共有グループに属するユーザの使用端末に送信する情報共有化装置において、
共有グループに属するユーザを示すユーザ番号毎に各ユーザが前記使用端末にて表示しているＷｅｂページのページデータを記憶する記憶手段と、
前記使用端末からユーザ番号と、当該ユーザの使用端末にて表示されているＷｅｂページのページデータの送信を指示する指示コマンドを受信した際、前記使用端末から受信したユーザ番号に関係付けられて前記記憶手段に記憶されているＷｅｂページのページデータを前記使用端末に送信する送信手段とを有することを特徴とする情報共有化装置。
【請求項５】
前記使用端末からユーザ番号と、当該ユーザの使用端末にて表示されているＷｅｂページのページデータの送信を指示する指示コマンドを受信した際、前記記憶手段に前記使用端末から受信したユーザ番号に関係付けられて記憶されているＷｅｂページのページデータと、前記使用端末に表示されているＷｅｂページのページデータを比較し、一致するか否か判定する判定手段を備え、
前記判定手段の判定結果が否定の場合、前記送信手段は、前記使用端末から受信したユーザ番号に関係付けられて前記記憶手段に記憶されているＷｅｂページのページデータを前記使用端末に送信することを特徴とする請求項４に記載の情報共有化装置。
【請求項６】
複数のユーザがそれぞれ使用する複数の使用端末及びアドレスにて指定されることによりＷｅｂページのページデータを送信するＷｅｂサーバとネットワークを介して接続された情報共有化装置が、前記複数のユーザの使用端末から特定された共有グループに属するユーザの使用端末がＷｅｂページのページデータを共有することができるようにＷｅｂページのページデータをＷｅｂサーバから受信して前記共有グループに属するユーザの使用端末に送信する情報共有化方法において、
前記情報共有化装置が、
共有グループを示す共有番号に関係付けて共有グループ内で共有閲覧するＷｅｂページのページデータを前記情報共有化装置が備える記憶手段に記憶する記憶処理と、
前記使用端末からＷｅｂページのページデータを指定するアドレスを受信した際、共有番号に関係付けられて前記記憶手段に記憶されているＷｅｂページのページデータと、前記使用端末に表示されているＷｅｂページのページデータを比較し、一致するか否か判定する判定処理と、
前記判定処理の判定結果が否定の場合、共有番号に関係付けられて前記記憶手段に記憶されているＷｅｂページのページデータを前記使用端末に送信する送信処理を実行することを特徴とする情報共有化方法。
【請求項７】
前記情報共有化装置が、前記送信処理において、前記判定処理の判定結果が肯定の場合、前記使用端末から受信したアドレスに基づいて、前記ＷｅｂサーバからＷｅｂページのページデータを受信し、当該ページデータを前記共有グループ内で共有閲覧するＷｅｂページのページデータとして前記共有番号毎に記憶すると共に、当該ページデータを前記使用端末に送信することを特徴とする請求項６に記載の情報共有化方法。
【請求項８】
前記情報共有化装置が、Ｗｅｂページの中から検出したボタンオブジェクトにＷｅｂページのページデータを指定するアドレスが関係付けられている場合、前記ボタンオブジェクトが前記使用端末のボタン操作にて選択されたとき、Ｗｅｂページのページデータを指定するアドレス及び共有番号が前記情報共有化装置に送信されるように前記ボタンオブジェクトを変更する変更処理を実行することを特徴とする請求項６又は７に記載の情報共有化方法。
【請求項９】
複数のユーザがそれぞれ使用する複数の使用端末及びアドレスにて指定されることによりＷｅｂページのページデータを送信するＷｅｂサーバと、ネットワークを介して接続された情報共有化装置が、前記複数のユーザの使用端末から特定された共有グループに属するユーザがＷｅｂページのページデータを共有できるようにＷｅｂページのページデータをＷｅｂサーバから受信して前記共有グループに属するユーザの使用端末に送信する情報共有化方法において、
前記情報共有化装置が、
共有グループに属するユーザを示すユーザ番号毎に各ユーザが前記使用端末にて表示しているＷｅｂページのページデータを前記情報共有化装置が備える記憶手段に記憶する記憶処理と、
前記使用端末からユーザ番号と、当該ユーザの使用端末にて表示されているＷｅｂページのページデータの送信を指示する指示コマンドを受信した際、前記記憶手段に前記使用端末から受信したユーザ番号に記憶されているＷｅｂページのページデータを前記使用端末に送信する送信処理とを実行することを特徴とする情報共有化方法。
【請求項１０】
前記情報共有化装置が、
前記使用端末からユーザ番号と、当該ユーザの使用端末にて表示されているＷｅｂページのページデータの送信を指示する指示コマンドを受信した際、前記記憶手段に前記使用端末から受信したユーザ番号に関係付けられて記憶されているＷｅｂページのページデータと、前記使用端末に表示されているＷｅｂページのページデータを比較し、一致するか否か判定する判定処理と、
前記判定処理の判定結果が否定の場合、前記記憶手段に前記使用端末から受信したユーザ番号に記憶されているＷｅｂページのページデータを前記使用端末に送信する送信処理とを実行することを特徴とする請求項９に記載の情報共有化方法。
【発明の詳細な説明】
【技術分野】
【０００１】
本発明は、情報共有化装置及び情報共有化方法に関するものである。
【背景技術】
【０００２】
従来、複数の端末間で、同時に同じＷｅｂページの閲覧を可能とするためには、ユーザ同士がネットワーク上におけるＷｅｂページのアドレス（例えば、ＵＲＬ（Uniform Resource Locator）情報等）を会話又はメールなどで伝え、それぞれの端末でアドレスをキーボードなどで直接Ｗｅｂブラウザに入力していた。このようにアドレスを直接入力することにより、複数のユーザは、同じＷｅｂページをそれぞれの端末に表示し、同じ画面を閲覧することができた。しかしながら、各ユーザが直接アドレスを入力することは、手間や時間がかかるといった問題があった。
【０００３】
一方、Ｗｅｂページの中にはアドレスがボタンオブジェクトに関係付けられて埋め込まれている（つまり、リンクが張られている）ものが一般的に存在していた。ユーザは、このようなＷｅｂページであれば、アドレスが関係付けられているボタンオブジェクトをマウス又はボタン操作にて選択するだけで、アドレスの直接入力を省略して、他のＷｅｂページを表示させることができる。特に近年では、ボタンの数が少なく文字入力が煩雑な携帯電話を用いることが多くなっているので、アドレスが関係付けられたボタンオブジェクトを埋め込んだＷｅｂページが多くなっている。しかし、複数のユーザが同じＷｅｂページを閲覧するためには、やはりユーザ同士でアドレスを伝えて、各端末で直接アドレスを入力する必要があったので、このようなアドレスが関係付けられたボタンオブジェクトを有効に使用することができなかった。
【０００４】
以上のような問題点を解決するため、特許文献１に記載されている発明のように、アドレスとしてのＵＲＬ情報を転送し、転送されたＵＲＬ情報に基づいてＷｅｂページを表示させるプログラムを各ユーザの端末に備える方法が提案されている。このプログラムは、各ユーザの端末において起動されると、一のユーザの端末においてＵＲＬ情報が変更された場合、他のユーザの端末に当該ＵＲＬ情報を転送させ、当該他のユーザの端末は転送されたＵＲＬ情報を参照して各自Ｗｅｂページのページデータを提供するＷｅｂサーバにアクセスし、Ｗｅｂページのページデータを取得させるようにしている。これにより、各ユーザは、ＵＲＬ情報などのアドレスを直接他のユーザに伝えなくても、同じＷｅｂページを閲覧することが可能となった。また、各ユーザは、アドレスが関係付けられたボタンオブジェクトを利用して他のＷｅｂページにアクセスしても、各ユーザの端末に備えられたプログラムにより、アドレスが変更されると変更後のアドレスが他のユーザの端末に転送されるので、複数のユーザが同時に同じＷｅｂページを閲覧することができるようになった。
【特許文献１】特開２００１−３３３０６２号公報（段落番号［００１８］，図２）
【発明の開示】
【発明が解決しようとする課題】
【０００５】
しかしながら、特許文献１の発明では、端末側に特別なソフトウェアを備えなくてはならないので、携帯電話などの記憶容量、処理能力が小さく、また多機能を備えなくてはならない端末では、制御負担が大きくなるため不適当であった。
【０００６】
また、Ｗｅｂページの内容が動的に変更される場合、つまり、アクセス毎に表示される広告が変わるようなＷｅｂページが時間により書き換えられる場合には、アクセスする時間によりその内容が変更される。そのため、複数のユーザが同じＵＲＬにアクセスしたとしても同時に同一のＷｅｂページを表示することができない場合があるといった問題があった。
【０００７】
この発明は、このような従来技術に存在する問題点に着目してなされたものであり、その目的は、ユーザが使用する端末の制御負担を抑制しつつ、複数のユーザが同時に同一情報を共有することが簡単にできる情報共有化装置及び情報共有化方法を提供することにある。
【課題を解決するための手段】
【０００８】
上記目的を達成するために、請求項１に記載の発明は、複数のユーザがそれぞれ使用する複数の使用端末及びアドレスにて指定されることによりＷｅｂページのページデータを送信するＷｅｂサーバとネットワークを介して接続され、前記複数のユーザの使用端末から特定された共有グループに属するユーザの使用端末がＷｅｂページのページデータを共有することができるようにＷｅｂページのページデータをＷｅｂサーバから受信して前記共有グループに属するユーザの使用端末に送信する情報共有化装置において、共有グループを示す共有番号に関係付けて共有グループ内で共有閲覧するＷｅｂページのページデータを記憶する記憶手段と、前記使用端末からＷｅｂページのページデータを指定するアドレスを受信した際、共有番号に関係付けられて前記記憶手段に記憶されているＷｅｂページのページデータと、前記使用端末に表示されているＷｅｂページのページデータを比較し、一致するか否か判定する判定手段と、前記判定手段の判定結果が否定の場合、共有番号に関係付けられて前記記憶手段に記憶されているＷｅｂページのページデータを前記使用端末に送信する送信手段を有することを要旨とする。
【０００９】
請求項２に記載の発明は、請求項１に記載の発明において、前記送信手段は、前記判定手段の判定結果が肯定の場合、前記使用端末から受信したアドレスに基づいて、前記ＷｅｂサーバからＷｅｂページのページデータを受信し、当該ページデータを前記共有グループ内で共有閲覧するＷｅｂページのページデータとして前記記憶手段に前記共有番号毎に記憶すると共に、当該ページデータを前記使用端末に送信することを要旨とする。
【００１０】
請求項３に記載の発明は、請求項１又は請求項２に記載の発明において、Ｗｅｂページの中から検出したボタンオブジェクトにＷｅｂページのページデータを指定するアドレスが関係付けられている場合、前記ボタンオブジェクトが前記使用端末のボタン操作にて選択されたとき、Ｗｅｂページのページデータを指定するアドレス及び共有番号が前記情報共有化装置に送信されるように前記ボタンオブジェクトを変更する変更手段を有することを要旨とする。
【００１１】
請求項４に記載の発明は、複数のユーザがそれぞれ使用する複数の使用端末及びアドレスにて指定されることによりＷｅｂページのページデータを送信するＷｅｂサーバと、ネットワークを介して接続され、前記複数のユーザの使用端末から特定された共有グループに属するユーザがＷｅｂページのページデータを共有できるようにＷｅｂページのページデータをＷｅｂサーバから受信して前記共有グループに属するユーザの使用端末に送信する情報共有化装置において、共有グループに属するユーザを示すユーザ番号毎に各ユーザが前記使用端末にて表示しているＷｅｂページのページデータを記憶する記憶手段と、前記使用端末からユーザ番号と、当該ユーザの使用端末にて表示されているＷｅｂページのページデータの送信を指示する指示コマンドを受信した際、前記使用端末から受信したユーザ番号に関係付けられて前記記憶手段に記憶されているＷｅｂページのページデータを前記使用端末に送信する送信手段とを有することを要旨とする。
【００１２】
請求項５に記載の発明は、請求項４に記載の発明において、前記使用端末からユーザ番号と、当該ユーザの使用端末にて表示されているＷｅｂページのページデータの送信を指示する指示コマンドを受信した際、前記記憶手段に前記使用端末から受信したユーザ番号に関係付けられて記憶されているＷｅｂページのページデータと、前記使用端末に表示されているＷｅｂページのページデータを比較し、一致するか否か判定する判定手段を備え、前記判定手段の判定結果が否定の場合、前記送信手段は、前記使用端末から受信したユーザ番号に関係付けられて前記記憶手段に記憶されているＷｅｂページのページデータを前記使用端末に送信することを要旨とする。
【００１３】
請求項６に記載の発明は、複数のユーザがそれぞれ使用する複数の使用端末及びアドレスにて指定されることによりＷｅｂページのページデータを送信するＷｅｂサーバとネットワークを介して接続された情報共有化装置が、前記複数のユーザの使用端末から特定された共有グループに属するユーザの使用端末がＷｅｂページのページデータを共有することができるようにＷｅｂページのページデータをＷｅｂサーバから受信して前記共有グループに属するユーザの使用端末に送信する情報共有化方法において、前記情報共有化装置が、共有グループを示す共有番号に関係付けて共有グループ内で共有閲覧するＷｅｂページのページデータを前記情報共有化装置が備える記憶手段に記憶する記憶処理と、前記使用端末からＷｅｂページのページデータを指定するアドレスを受信した際、共有番号に関係付けられて前記記憶手段に記憶されているＷｅｂページのページデータと、前記使用端末に表示されているＷｅｂページのページデータを比較し、一致するか否か判定する判定処理と、前記判定処理の判定結果が否定の場合、共有番号に関係付けられて前記記憶手段に記憶されているＷｅｂページのページデータを前記使用端末に送信する送信処理を実行することを要旨とする。
【００１４】
請求項７に記載の発明は、請求項６に記載の発明において、前記情報共有化装置が、前記送信処理において、前記判定処理の判定結果が肯定の場合、前記使用端末から受信したアドレスに基づいて、前記ＷｅｂサーバからＷｅｂページのページデータを受信し、当該ページデータを前記共有グループ内で共有閲覧するＷｅｂページのページデータとして前記共有番号毎に記憶すると共に、当該ページデータを前記使用端末に送信することを要旨とする。
【００１５】
請求項８に記載の発明は、請求項６又は請求項７に記載の発明において、前記情報共有化装置が、Ｗｅｂページの中から検出したボタンオブジェクトにＷｅｂページのページデータを指定するアドレスが関係付けられている場合、前記ボタンオブジェクトが前記使用端末のボタン操作にて選択されたとき、Ｗｅｂページのページデータを指定するアドレス及び共有番号が前記情報共有化装置に送信されるように前記ボタンオブジェクトを変更する変更処理を実行することを要旨とする。
【００１６】
請求項９に記載の発明は、複数のユーザがそれぞれ使用する複数の使用端末及びアドレスにて指定されることによりＷｅｂページのページデータを送信するＷｅｂサーバと、ネットワークを介して接続された情報共有化装置が、前記複数のユーザの使用端末から特定された共有グループに属するユーザがＷｅｂページのページデータを共有できるようにＷｅｂページのページデータをＷｅｂサーバから受信して前記共有グループに属するユーザの使用端末に送信する情報共有化方法において、前記情報共有化装置が、共有グループに属するユーザを示すユーザ番号毎に各ユーザが前記使用端末にて表示しているＷｅｂページのページデータを前記情報共有化装置が備える記憶手段に記憶する記憶処理と、前記使用端末からユーザ番号と、当該ユーザの使用端末にて表示されているＷｅｂページのページデータの送信を指示する指示コマンドを受信した際、前記記憶手段に前記使用端末から受信したユーザ番号に記憶されているＷｅｂページのページデータを前記使用端末に送信する送信処理とを実行することを要旨とする。
【００１７】
請求項１０に記載の発明は、請求項９に記載の発明において、前記情報共有化装置が、前記使用端末からユーザ番号と、当該ユーザの使用端末にて表示されているＷｅｂページのページデータの送信を指示する指示コマンドを受信した際、前記記憶手段に前記使用端末から受信したユーザ番号に関係付けられて記憶されているＷｅｂページのページデータと、前記使用端末に表示されているＷｅｂページのページデータを比較し、一致するか否か判定する判定処理と、前記判定処理の判定結果が否定の場合、前記記憶手段に前記使用端末から受信したユーザ番号に記憶されているＷｅｂページのページデータを前記使用端末に送信する送信処理とを実行することを要旨とする。
【発明の効果】
【００１８】
本発明によれば、ユーザが使用する端末の制御負担を抑制しつつ、複数のユーザが同時に同一情報を共有することが簡単にできる。
【発明を実施するための最良の形態】
【００１９】
（第一実施形態）
以下、本発明を具体化した第一実施形態を説明する。
図１に示すように、複数のユーザがそれぞれ使用する使用端末としての携帯電話１１は、情報共有化装置としてのプロキシサーバ１４と接続されている。プロキシサーバ１４は、ネットワークとしてのインターネット１２に接続されている。そのインターネット１２には、Ｗｅｂページのページデータを提供するＷｅｂサーバ１３が接続されている。そして、Ｗｅｂサーバ１３及びプロキシサーバ１４は、インターネット１２上の位置を示す位置情報としてアドレスをそれぞれ有しており、携帯電話１１は、Ｗｅｂブラウザ等でアドレスが指定（入力）されることにより、アクセスすることが可能となっている。
【００２０】
Ｗｅｂサーバ１３は、Ｗｅｂページのページデータを記憶した記憶部１３ａを備えている。そして、Ｗｅｂサーバ１３は、アドレスの入力により、ページデータをインターネット１２を介して提供するようになっている。
【００２１】
次に、プロキシサーバ１４について説明する。プロキシサーバ１４は、Ｗｅｂページのページデータ等の情報を記憶する記憶手段としての記憶部１４ａと、識別番号としての各種ＩＤを記憶、管理するＩＤ管理部１４ｂ等を備えている。
【００２２】
そして、プロキシサーバ１４は、図４に示す外部アクセス処理により、外部のＷｅｂサーバ１３からＷｅｂページのページデータを受信するたびに、共有グループを示す共有ＩＤに関係付けて記憶部１４ａに記憶している。前記共有グループは、Ｗｅｂページを共有閲覧するユーザのグループ（集まり）であり、前記共有ＩＤは、図２に示す共有開始処理により生成されるようになっている。
【００２３】
そして、プロキシサーバ１４は、同じ共有グループに属するユーザの携帯電話１１に、図５に示すキャッシュアクセス処理により、共有ＩＤに関係付けられて記憶部１４ａに記憶されたＷｅｂページのページデータが送信するようになっている。つまり、同じ共有グループに属するユーザは、記憶部１４ａに記憶されたＷｅｂページのページデータを共有閲覧することができるようになっている。尚、本実施形態の記憶部１４ａには、Ｗｅｂサーバ１３から一番最近に取得したページデータのみが共有グループ毎に記憶されている。即ち、各共有グループが共有閲覧するＷｅｂページは、常に最新のＷｅｂページということとなる。
【００２４】
また、記憶部１４ａに記憶されたＷｅｂページのページデータには、連続する自然数からなるシーケンス番号が関係付けられている。このシーケンス番号は、図４に示す外部アクセス処理により、プロキシサーバ１４がＷｅｂサーバ１３からページデータを取得する度に、それぞれ生成され、当該ページデータに関係付けられるようになっている。従って、シーケンス番号は、記憶部１４ａに記憶したページデータ固有の番号であり、シーケンス番号からページデータを特定することができる。
【００２５】
さらに、プロキシサーバ１４は、図４に示す外部アクセス処理により、ページデータを取得し、記憶部１４ａに記憶する際、Ｗｅｂサーバ１３からページデータを取得するためのアドレスがページデータに付されている場合、Ｗｅｂサーバ１３から直接取得せずに、一旦プロキシサーバ１４を経由するように当該アドレスを書き換えるようになっている。また、その際、外部アクセス処理により送信先の携帯電話１１がページデータに関係付けられたページデータ固有のシーケンス番号より１つ新しいシーケンス番号や共有ＩＤ等を取得できるように、当該アドレスにパラメータとしてシーケンス番号や共有ＩＤ等を付加するようになっている。
【００２６】
そして、プロキシサーバ１４は、携帯電話１１からＷｅｂページのページデータの取得を要求されると、図３に示すリクエスト受付処理により、携帯電話１１から受信した共有ＩＤ及びシーケンス番号により、図４に示す外部アクセス処理を実行するか、又は図５に示すキャッシュアクセス処理を実行するかを決定するようになっている。
【００２７】
また、ＩＤ管理部１４ｂには、図２に示す共有開始処理により、各ユーザを示すＩＤとして生成されたユーザＩＤが、共有ＩＤに関係付けられて記憶、管理されている。このように共有ＩＤとユーザＩＤとを関係付けているので、共有ＩＤから共有グループに所属するユーザを特定することができ、又、ユーザＩＤからユーザが所属する共有グループを特定することができる。さらに、ＩＤ管理部１４ｂには、図２に示す共有開始処理により、生成された招待ＩＤが、共有ＩＤに関係付けられて記憶、管理されている。このように共有ＩＤと招待ＩＤを関係付けているので、招待ＩＤから共有ＩＤ、即ち、共有グループを特定することができる。尚、ＩＤ管理部１４ｂは、ユーザＩＤを有するユーザが所定期間以内にプロキシサーバ１４にアクセスする限り、ユーザＩＤを有効に記憶しているが、所定期間経過しても、アクセスしなくなれば、ユーザＩＤを消去するようになっている。そして、ＩＤ管理部１４ｂは、ユーザＩＤが消去されることにより、共有ＩＤに関係付けられて記憶されたユーザＩＤが全てなくなれば、当該共有ＩＤを消去するようになっている。
【００２８】
以下、プロキシサーバ１４が実行する各種処理（図２に示す共有開始処理、図３に示すリクエスト受付処理、図４に示す外部アクセス処理、図５に示すキャッシュアクセス処理）についてさらに詳しく説明する。
【００２９】
図２に示す共有開始処理は、ユーザがＷｅｂページを共有閲覧する共有グループを新しく作成する場合、若しくは、既に作成されている共有グループに参加する場合に実行される処理である。そして、共有開始処理は、Ｗｅｂページの共有閲覧を開始するためのＷｅｂページ（図６（ａ）参照。以下、このＷｅｂページを開始ページという。）で、ユーザの携帯電話１１のボタン操作により所定のボタンオブジェクト２０が選択され、所定のコマンドがプロキシサーバ１４に送信されることにより実行される。
【００３０】
この共有開始処理において受信する所定のコマンドは共有グループ作成要求コマンドか、共有参加要求コマンドのいずれかである。「共有グループ作成要求コマンド」は、開始ページにおいて、共有グループ作成ボタンが選択されることにより送信されるコマンドである。そして、共有グループ作成ボタンは、ユーザが、Ｗｅｂページの閲覧を共有するユーザの共有グループを作成する際に選択されるボタンオブジェクト２０である。本実施形態では、図６（ａ）に示すように、開始ページにおいて、「新しく共有を作る」というボタンオブジェクト２０が共有グループ作成ボタンとなっており、携帯電話１１のボタン操作で選択可能となっている。
【００３１】
また、「共有参加要求コマンド」は、開始ページにおいて、共有参加ボタンが選択されることにより送信されるコマンドである。そして、共有参加ボタンは、ユーザが、既に作成された共有グループに参加する際に選択されるボタンである。本実施形態では、図６（ａ）に示すように、「共有する」というボタンオブジェクト２０が共有参加ボタンとなっており、携帯電話１１のボタン操作で選択可能となっている。
【００３２】
この所定のコマンドが受信されてこの共有開始処理が開始されると、プロキシサーバ１４は、まず、ユーザの携帯電話１１から受信したコマンドが、共有グループ作成要求コマンドであるか否かを判定する（ステップＳ１）。
【００３３】
このステップＳ１の処理により、共有グループ作成要求コマンドが入力されたと判定した場合（ステップＳ１の判定結果が肯定の場合）、プロキシサーバ１４は、各種ＩＤを発行する（ステップＳ２）。具体的には、プロキシサーバ１４は、共有グループを特定するために使用される共有番号としての「共有ＩＤ」と、共有グループへの参加を認めるために使用される「招待ＩＤ」と、ユーザを特定するために使用されるユーザ番号としての「ユーザＩＤ」を生成する。そして、プロキシサーバ１４は、ＩＤ管理部１４ｂに生成した共有ＩＤとユーザＩＤを関係付けて記憶、管理する。また、プロキシサーバ１４は、ＩＤ管理部１４ｂに生成した招待ＩＤを共有ＩＤに関係付けて記憶、管理する。
【００３４】
そして、プロキシサーバ１４は、生成した招待ＩＤをユーザに対して表示し、Ｗｅｂページ（ポータルサイト）を指定するためのアドレスが関係付けられたボタンオブジェクト２０が埋め込まれているＷｅｂページ（図６（ｂ）参照。以下、このＷｅｂページを参加ページという）のページデータを携帯電話１１に送信する。この参加ページには、Ｗｅｂページ（ポータルサイト）を指定するためのアドレスが関係付けられたボタンオブジェクト２０が表示されるようになっており、携帯電話１１のボタン操作で選択することが可能となっている。そして、このボタンオブジェクト２０には、ステップＳ２で生成されたユーザＩＤと共有ＩＤがパラメータとして関係付けられて（つまり、埋め込まれて）おり、ユーザが携帯電話１１のボタン操作で選択すると、携帯電話１１は、Ｗｅｂページを指定するためのアドレスと共にユーザＩＤ及び共有ＩＤをプロキシサーバ１４に送信するようになっている。
【００３５】
ステップＳ２の処理を行った後、プロキシサーバ１４は、参加ページにてアドレス、ユーザＩＤ及び共有ＩＤを携帯電話１１から受信するまで待機する（ステップＳ３）。そして、アドレス、ユーザＩＤ及び共有ＩＤを携帯電話１１から受信すると、プロキシサーバ１４は、共有開始処理を終了し、リクエスト受付処理を実行するようになっている。
【００３６】
一方、ステップＳ１の処理により、受信したコマンドが共有グループ作成コマンドではないと判定した場合（ステップＳ１の判定結果が否定の場合）、受信したコマンドは、共有参加要求コマンドであるので以下の処理を行う。プロキシサーバ１４は、ユーザが参加する共有グループを特定するために、招待ＩＤを入力させるためのＷｅｂページ（図６（ｌ）参照、以下、招待ＩＤ入力ページという。）のページデータを送信する。そして、プロキシサーバ１４は、招待ＩＤ入力ページにて招待ＩＤが入力されるまで待機する（ステップＳ４）。プロキシサーバ１４は、招待ＩＤ入力ページにて招待ＩＤが入力され、招待ＩＤを携帯電話１１から受信すると、受信した招待ＩＤがＩＤ管理部１４ｂに有効に記憶されているか否か判定する（ステップＳ５）。つまり、プロキシサーバ１４は、ＩＤ管理部１４ｂを参照して招待ＩＤと関連付けられた共有ＩＤが存在するか否か判定する。この判定が肯定の場合は、招待ＩＤが有効に記憶されていると判定し、否定の場合は、招待ＩＤが有効に記憶されていないと判定する。
【００３７】
そして、このステップＳ５の判定結果が否定である場合には、プロキシサーバ１４は、エラーとして共有開始処理を終了する一方、肯定の場合には、共有グループへの参加を認めてユーザＩＤを発行してユーザを共有グループに参加させるための処理を実行する（ステップＳ６）。具体的には、プロキシサーバ１４は、ユーザＩＤを生成し、招待ＩＤにより特定した共有ＩＤと関連付けてＩＤ管理部１４ｂに記憶、管理する。そして、プロキシサーバ１４は、共有開始処理を終了し、リクエスト受付処理を実行するようになっている。
【００３８】
次に、図３に従ってリクエスト受付処理について説明する。リクエスト受付処理は、外部のＷｅｂサーバ１３からＷｅｂページのページデータを取得して送信するか又は記憶部１４ａに記憶されたＷｅｂページのページデータを送信するかを決定するための処理である。そして、このリクエスト受付処理は、携帯電話１１からアドレス、シーケンス番号、共有ＩＤ及びユーザＩＤ等が含まれるデータを受信した場合、又は共有開始処理が行われた場合により実行されるようになっている。つまり、リクエスト受付処理は、携帯電話１１からＷｅｂページのページデータを要求されたときに実行されるようになっている。
【００３９】
まず、プロキシサーバ１４は、リクエスト受付処理を実行すると、ＩＤ管理部１４ｂを参照して、ユーザから取得したユーザＩＤ（又は共有開始処理のステップＳ２若しくはステップＳ６において生成したユーザＩＤ）が有効に存在するか否か判定する（ステップＳ１１）。このステップＳ１１の判定結果が否定であれば、エラーとしてリクエスト受付処理を終了する。
【００４０】
一方、ステップＳ１１の判定結果が肯定の場合、プロキシサーバ１４は、携帯電話１１から受信したデータの中に記憶部１４ａに記憶されている画像データ等の外部参照データを取得することを指示するキャッシュフラグが設定されているか否か判定する（ステップＳ１２）。このステップＳ１２の判定結果が肯定の場合、即ち、キャッシュフラグが設定されている場合、プロキシサーバ１４は、記憶部１４ａに記憶されている外部参照データを提供するために、図５に示すキャッシュアクセス処理を実行するようになっている（ステップＳ１３）。
【００４１】
一方、ステップＳ１２の判定結果が否定の場合、プロキシサーバ１４は、ＩＤ管理部１４ｂにおいて携帯電話１１から受信した共有ＩＤと関係付けられたシーケンス番号（即ち、最新のページデータ固有のシーケンス番号）よりもアドレスと共に受信したシーケンス番号の方が新しいか否か判定するようになっている（ステップＳ１４）。尚、携帯電話１１からシーケンス番号を受信していないときには、プロキシサーバ１４は、シーケンス番号の初期値「０」とＩＤ管理部１４ｂにおいて携帯電話１１から受信した共有ＩＤと関係付けられて記憶されているシーケンス番号と比較する。また、プロキシサーバ１４は、記憶部１４ａにページデータを記憶していないときは、携帯電話１１から受信したシーケンス番号と、シーケンス番号の初期値「０」を比較する。このステップＳ１４の判定結果が肯定の場合（携帯電話１１から受信したシーケンス番号の方が新しい場合）、プロキシサーバ１４は、外部アクセス処理を実行し（ステップＳ１５）、否定の場合、キャッシュアクセス処理を実行するようになっている（ステップＳ１３）。即ち、このステップＳ１４の処理において、共有ＩＤに関係付けられてＩＤ管理部１４ｂに記憶されているシーケンス番号と、携帯電話１１から受信したシーケンス番号とを比較することにより、共有グループが共有閲覧しているＷｅｂページと、携帯電話１１にて閲覧しているＷｅｂページが一致しているか否か判定している。即ち、共有グループが共有閲覧しているＷｅｂページが更新されたか否か判定している。そして、共有グループが共有閲覧しているＷｅｂページと、携帯電話１１にて閲覧しているＷｅｂページが一致する場合（ステップＳ１４の判定結果が肯定の場合）には、即ち、共有閲覧しているＷｅｂページが更新されていない場合には、外部のＷｅｂサーバ１３からＷｅｂページのページデータを取得するために外部アクセス処理を実行する。一方、一致しない場合（ステップＳ１４の判定結果が否定の場合）、即ち、更新された場合には、プロキシサーバ１４は、プロキシサーバ１４の記憶部１４ａに記憶されているページデータを送信するためにキャッシュアクセス処理を実行する。従って、本実施形態のプロキシサーバ１４は、判定手段として機能し、又、ステップＳ１４の処理が、判定処理となる。
【００４２】
次に、図４に従って外部アクセス処理について説明する。外部アクセス処理は、記憶部１４ａに共有グループ内のユーザが共有閲覧しているＷｅｂページのページデータが存在しないとき、又は、共有グループ内のユーザが共有閲覧しているＷｅｂページを更新するために実行される処理である。そして、この外部アクセス処理は、リクエスト受付処理において、ステップＳ１２の判定結果が否定の場合及びステップＳ１４の判定結果が肯定の場合に実行される。
【００４３】
プロキシサーバ１４は、外部アクセス処理を実行すると、まず、携帯電話１１から受信したアドレスに基づいてＷｅｂサーバ１３にアクセスし、アドレスにより指定されたＷｅｂページのページデータを取得する（ステップＳ２１）。次に、プロキシサーバ１４は、携帯電話１１からアドレスと共に受信した共有ＩＤに関係付けられるシーケンス番号を新たに生成する（ステップＳ２２）。シーケンス番号は連続する自然数であるので、元のシーケンス番号（即ち、共有ＩＤに関係付けられてＩＤ管理部１４ｂに記憶されていた最新のページデータ固有のシーケンス番号）に１加算した番号がステップＳ２２において新たに生成したシーケンス番号となる。尚、ＩＤ管理部１４ｂにシーケンス番号が記憶されていない場合、つまり、共有グループ内のユーザが共有閲覧しているＷｅｂページが存在しない場合、元のシーケンス番号は初期値「０」とする。
【００４４】
そして、プロキシサーバ１４は、取得したＷｅｂページの中に新たにページデータを取得するためのアドレスが関係付けられたボタンオブジェクト２０が存在する場合、当該アドレスを書き換えてリンク先をプロキシサーバ１４に変更すると共に、所定のパラメータを付加するようになっている（ステップＳ２３）。具体的には、プロキシサーバ１４は、アドレスが関係付けられたボタンオブジェクト２０が存在する場合、当該アドレスの代わりにプロキシサーバ１４を指定するアドレスに変更し、ボタンオブジェクト２０が選択されることにより、プロキシサーバ１４にデータ（パラメータ）が送信されるようにする。そして、プロキシサーバ１４は、元々ボタンオブジェクト２０に関係付けられていたアドレスがプロキシサーバ１４にパラメータとして送信されるように、ボタンオブジェクト２０に関係付けられたアドレス（つまり、プロキシサーバ１４を示すアドレス）に元々ボタンオブジェクト２０に関係付けられていたアドレスを付加する。それと共に、プロキシサーバ１４は、ボタンオブジェクト２０が選択されることでユーザＩＤと、共有ＩＤと、ステップＳ２２の処理で生成したシーケンス番号より１つ新しい（１加算した）シーケンス番号がプロキシサーバ１４にパラメータとして送信されるように、前記ボタンオブジェクト２０に関係付けられたアドレスに付加する。つまり、ステップＳ２３にて処理されるページデータ固有の最新のシーケンス番号よりも１つ新しい（次の）シーケンス番号がプロキシサーバ１４にパラメータとして送信されるようにボタンオブジェクト２０に関係付けられたアドレスに付加する。
【００４５】
従って、ステップＳ２３により、ユーザがボタン操作にてボタンオブジェクト２０を選択すると、携帯電話１１は、一旦プロキシサーバ１４にアクセスし、元々ボタンオブジェクト２０に関係付けられていたアドレスと、プロキシサーバ１４がＷｅｂページを送信するときに付加したシーケンス番号と、共有ＩＤと、ユーザＩＤを送信することとなる。このため、本実施形態のプロキシサーバ１４は、変更手段としての機能を有している。そして、本実施形態のステップＳ２３の処理が、変更処理となる。
【００４６】
また、プロキシサーバ１４は、外部参照データが関係付けられたボタンオブジェクト２０が存在する場合、当該ボタンオブジェクト２０が選択されることにより、プロキシサーバ１４にキャッシュフラグと共に当該外部参照データを指定するアドレスが送信されるように、ページデータを書き換える。
【００４７】
そして、プロキシサーバ１４は、ステップＳ２３の処理にて作成したＷｅｂページのページデータを共有ＩＤと関連付けて記憶部１４ａに記憶すると共に、ＩＤ管理部１４ｂにおいて、共有ＩＤに関連付けられて記憶されているシーケンス番号をステップＳ２３の処理にて生成されたシーケンス番号に書き換える（ステップＳ２４）。また、プロキシサーバ１４は、ページデータに外部参照データが関係付けられたボタンオブジェクト２０が存在する場合、当該外部参照データを指定するアドレスと関係付けて記憶部１４ａに外部参照データを記憶する。
【００４８】
このステップＳ２４の処理により、共有ＩＤに関係付けられるシーケンス番号は、他のＷｅｂサーバ１３からＷｅｂページのページデータを取得する毎に更新され、最新のシーケンス番号となる。そして、ユーザの携帯電話１１から送信されるシーケンス番号は、該シーケンス番号が関係付けられたボタンオブジェクト２０を有するＷｅｂページ固有のシーケンス番号よりも１つ新しいシーケンス番号であり、Ｗｅｂページが更新されたか否かを特定するための情報となる。そして、ＩＤ管理部１４ｂに共有ＩＤに関係付けられて記憶されているシーケンス番号は、記憶部１４ａに記憶されているＷｅｂページのページデータ、即ち、共有ＩＤが特定する共有グループが共有閲覧しているＷｅｂページを特定するための情報となる。このため、前記ステップＳ１４の処理において、共有ＩＤに関係付けられてＩＤ管理部１４ｂに記憶されているシーケンス番号と、携帯電話１１から受信したシーケンス番号とを比較することにより、共有グループが共有閲覧しているＷｅｂページが更新されたか否か判定することが可能となる。従って、本実施形態のステップＳ２４の処理が、記憶処理となる。
【００４９】
そして、プロキシサーバ１４は、ステップＳ２４の処理で記憶部１４ａに記憶したＷｅｂページのページデータをユーザの携帯電話１１に送信し（ステップＳ２５）、外部アクセス処理を終了する。
【００５０】
次に、図５に従ってキャッシュアクセス処理について説明する。キャッシュアクセス処理は、共有グループ内のユーザが共有閲覧しているＷｅｂページのページデータを携帯電話１１に提供するための処理である。そして、キャッシュアクセス処理は、リクエスト受付処理のステップＳ１４の判定結果が否定の場合、つまり、ユーザの携帯電話１１にて閲覧しているＷｅｂページと、共有グループ内で共有閲覧しているＷｅｂページとが異なる場合に実行される。
【００５１】
プロキシサーバ１４は、キャッシュアクセス処理が実行されると、携帯電話１１から受信したデータの中にキャッシュフラグが設定されているか否か判定する（ステップＳ３０）。この判定結果が否定の場合、プロキシサーバ１４は、共有ＩＤと関連付けられて記憶部１４ａに記憶されているＷｅｂページのページデータを読み出す（ステップＳ３１）。そして、プロキシサーバ１４は、読み出したページデータをユーザの携帯電話１１に送信し（ステップＳ３２）、キャッシュアクセス処理を終了する。一方、ステップＳ３０の判定結果が肯定の場合、プロキシサーバ１４は、キャッシュフラグと共に受信した外部参照データを指定するアドレスに基づいて記憶部１４ａから外部参照データを取得し、携帯電話１１に当該外部参照データを送信する（ステップＳ３３）。従って、本実施形態のプロキシサーバ１４は、送信手段として機能する。また、本実施形態の外部アクセス処理と、キャッシュアクセス処理により、送信処理が実行されることとなる。
【００５２】
次に、ユーザが共有グループを作成し、Ｗｅｂページを共有閲覧する態様について説明する。図６（ａ）〜図６（ｄ）及び図７（ｅ）〜図７（ｈ）までは、共有グループを作成したユーザの携帯電話１１が表示する画面の遷移を示したものである。また、図６（ｉ）〜図６（ｌ）及び図７（ｍ）〜図７（ｐ）までは、共有グループに参加するユーザの携帯電話１１が表示する画面の遷移を示したものであり、それぞれ、図６（ａ）〜図６（ｄ）及び図７（ｅ）〜図７（ｈ）に対応する。つまり、各図面の上段の画面が表示されているときに、各図面の下段の画面が表示されているものとする。例えば、共有グループを作成したユーザの携帯電話１１に図６（ａ）に示す画面が表示された時、共有グループに参加したユーザの携帯電話１１には、図６（ｉ）に示す画面が表示されていることとなる。また、図６及び図７の最上段には、共有ＩＤに関係付けられたシーケンス番号（記憶部１４ａに記憶されている最新のページデータを示すシーケンス番号）を示している。
【００５３】
共有グループを作成するユーザ（以下、第１のユーザと呼ぶ）が携帯電話１１のＷｅｂブラウザ等にて、開始ページを指定するアドレスを入力し、プロキシサーバ１４から開始ページのページデータを受信する。第１のユーザの携帯電話１１（以下、第１の携帯電話１１ａと呼ぶ）は、開始ページのページデータを受信すると、開始ページを第１の携帯電話１１ａ（より詳しくは、第１の携帯電話１１ａの表示画面２１ａ）に表示する（図６（ａ）参照）。このとき、第１のユーザが作成する共有グループに参加するユーザ（以下、第２のユーザという。）の携帯電話１１（以下、第２の携帯電話１１ｂという。）、より詳しくは、第２の携帯電話１１ｂの表示画面２１ｂには、待ち受け画面が表示されていることとする（図６（ｉ）参照）。そして、第１のユーザが当該開始ページにおいて、「新しい共有を作る」というボタンオブジェクト２０（共有グループ作成ボタン）をボタン操作にて選択すると、第１の携帯電話１１ａは、共有グループ作成要求コマンドをプロキシサーバ１４に送信する。
【００５４】
プロキシサーバ１４は、共有グループ作成要求コマンドを受信すると、共有ＩＤ、ユーザＩＤ、招待ＩＤを作成し、参加ページのページデータを第１の携帯電話１１ａに送信する。第１の携帯電話１１ａは、参加ページのページデータを受信すると、参加ページを表示する（図６（ｂ）〜図６（ｄ）参照）。第１のユーザは、第２のユーザに参加ページに表示される招待ＩＤを伝える。
【００５５】
そして、第１のユーザがボタン操作にてＷｅｂページ（ポータルサイト）を指定するアドレスが関係付けられたボタンオブジェクト２０を選択すると、第１の携帯電話１１ａは、当該アドレスと共に共有ＩＤと第１のユーザのユーザＩＤ（以下、第１のユーザＩＤという。）をプロキシサーバ１４に送信する。
【００５６】
プロキシサーバ１４は、当該アドレスと共に共有ＩＤと第１のユーザＩＤを受信すると、リクエスト受付処理を実行する。このとき、プロキシサーバ１４の記憶部１４ａには、ページデータが記憶されていないため、携帯電話１１から受信したデータの中にキャッシュフラグは設定されない（キャッシュフラグ＝０）。このため、プロキシサーバ１４は、リクエスト受付処理のステップＳ１４の処理を行い、受信した共有ＩＤに関係付けられた記憶部１４ａに記憶されたシーケンス番号と、携帯電話１１から受信したシーケンス番号を比較する。このとき、受信した共有ＩＤに関係付けられた記憶部１４ａに記憶されたシーケンス番号と、携帯電話１１から受信したシーケンス番号は共にシーケンス番号の初期値「０」であるので、プロキシサーバ１４は、外部アクセス処理を実行することとなる。
【００５７】
そして、プロキシサーバ１４は、外部アクセス処理を実行して、第１の携帯電話１１ａから受信したアドレスに基づいてＷｅｂページ（以下、第１のＷｅｂページという。）のページデータをＷｅｂサーバ１３から受信する。次に、プロキシサーバ１４は、シーケンス番号として「１」を新たに生成する。プロキシサーバ１４は、第１のＷｅｂページのページデータを解析して、ボタンオブジェクト２０を検出し、ボタンオブジェクト２０のアドレスを書き換え、さらに、所定のパラメータを付加する。尚、このページデータには、外部参照データが関係付けられたボタンオブジェクト２０は存在しないものとする。
【００５８】
その後、プロキシサーバ１４は、第１の携帯電話１１ａから受信した共有ＩＤに関係付けて記憶部１４ａにボタンオブジェクト２０を書き換えた第１のＷｅｂページのページデータを記憶する。プロキシサーバ１４は、第１の携帯電話１１ａに、当該ページデータを送信する。第１の携帯電話１１ａは、当該ページデータを受信すると、第１のＷｅｂページを表示する（図７（ｅ）参照）。
【００５９】
一方、第２のユーザは、第１のユーザから招待ＩＤを伝えられると、第２の携帯電話１１ｂを操作して、待ち受け画面（図６（ｊ）参照）を終了して、開始ページを表示する（図６（ｋ）参照）。そして、第２のユーザがボタン操作にて「共有する」というボタンオブジェクト２０（共有参加ボタン）を選択すると、第２の携帯電話１１ｂは、共有参加要求コマンドをプロキシサーバ１４に送信する。
【００６０】
プロキシサーバ１４は、共有参加要求コマンドを受信すると、招待ＩＤ入力ページのページデータを第２の携帯電話１１ｂに送信する。第２の携帯電話１１ｂは、当該ページデータを受信すると、招待ＩＤ入力ページを表示する（図６（ｌ）参照）。尚、このとき、第１の携帯電話１１ａには、引き続き図６（ｄ）に示す参加ページが表示されている。第２のユーザが招待ＩＤ入力ページのテキストボックスに第１のユーザから伝えられた招待ＩＤをボタン操作にて入力すると（図７（ｍ）参照）、第２の携帯電話１１ｂは、当該招待ＩＤをプロキシサーバ１４に送信する。プロキシサーバ１４は、招待ＩＤを受信すると、共有開始処理により、第２のユーザのユーザＩＤ（以下、第２のユーザＩＤという）を作成し、共有ＩＤに関係付けてＩＤ管理部１４ｂに記憶する。尚、第２のユーザがテキストボックスに招待ＩＤを入力した時、第１の携帯電話１１ａには、図７（ｅ）に示す第１のＷｅｂページが表示されていることとする。
【００６１】
プロキシサーバ１４は、次に、第２の携帯電話１１ｂの要求に応答してリクエスト受付処理を実行し、キャッシュフラグが設定されているか判定する。このとき、キャッシュフラグは設定されていないので、プロキシサーバ１４は、リクエスト受付処理のステップＳ１４の処理を実行する。また、このとき、第２の携帯電話１１ｂからは、シーケンス番号を受信していないので、共有ＩＤに関係付けられたシーケンス番号「１」とシーケンス番号の初期値「０」を比較する。シーケンス番号の初期値「０」よりも共有ＩＤに関係付けられたシーケンス番号「１」の方が新しいので、リクエスト受付処理のステップＳ１４の判定結果は否定となり、プロキシサーバ１４は、キャッシュアクセス処理を実行する。プロキシサーバ１４は、キャッシュアクセス処理により、記憶部１４ａに記憶された第１のＷｅｂページのページデータを読み出し、第２の携帯電話１１ｂに送信する。第２の携帯電話１１ｂは、当該ページデータを受信すると、第１のＷｅｂページを表示する（図７（ｎ）参照）。このため、この時点においては、第１のユーザと第２のユーザは、同じ第１のＷｅｂページを各携帯電話１１に表示していることとなる（図７（ｆ），図７（ｎ）参照）。
【００６２】
次に、第２のユーザが第１のＷｅｂページのいずれかのボタンオブジェクト２０を選択すると、第２の携帯電話１１ｂは、プロキシサーバ１４に当該ボタンオブジェクト２０に元々関係付けられていたアドレスと、第１のＷｅｂページ固有のシーケンス番号よりも１つ新しいシーケンス番号「２」を送信する。それと共に、第２の携帯電話１１ｂは、プロキシサーバ１４に第２のユーザが所属する共有グループの共有ＩＤと、送信元のユーザＩＤである第２のユーザＩＤをプロキシサーバ１４に送信する。プロキシサーバ１４は、アドレスと、シーケンス番号「２」と、共有ＩＤと、第２のユーザＩＤを受信すると、リクエスト受付処理を実行する。このとき、キャッシュフラグが設定されていないので、プロキシサーバ１４は、リクエスト受付処理のステップＳ１４を処理する。即ち、プロキシサーバ１４は、共有ＩＤに関係付けられて記憶部１４ａに記憶されているシーケンス番号「１」と、第２の携帯電話１１ｂから受信したシーケンス番号「２」を比較する。共有ＩＤに関係付けられて記憶部１４ａに記憶されているシーケンス番号「１」よりも、第２の携帯電話１１ｂから受信したシーケンス番号「２」の方が新しいので、プロキシサーバ１４は、外部アクセス処理を実行する。これにより、プロキシサーバ１４は、第２の携帯電話１１ｂから受信したアドレスに基づいて、Ｗｅｂサーバ１３にアクセスし、新たなＷｅｂページ（以下、第２のＷｅｂページという）のページデータを受信する。次に、プロキシサーバ１４は、シーケンス番号として「２」を新たに生成する。そして、プロキシサーバ１４は、第２のＷｅｂページのページデータを解析して、ボタンオブジェクト２０を検出し、ボタンオブジェクト２０のアドレスを書き換え、さらに、新しく生成したシーケンス番号よりも１つ新しいシーケンス番号「３」を含む所定のパラメータを付加する。
【００６３】
その後、プロキシサーバ１４は、第２の携帯電話１１ｂから受信した共有ＩＤに関係付けて記憶部１４ａにボタンオブジェクト２０を書き換えた第２のＷｅｂページのページデータを記憶する。プロキシサーバ１４は、第２の携帯電話１１ｂに、当該ページデータを送信する。第２の携帯電話１１ｂは、当該ページデータを受信すると、第２のＷｅｂページを表示する（図７（ｏ）参照）。このとき、第１の携帯電話１１ａには、引き続き第１のＷｅｂページが表示されている（図７（ｇ）参照）。
【００６４】
そして、第２の携帯電話１１ｂに第２のＷｅｂページが表示され、第１の携帯電話１１ａに第１のＷｅｂページが表示されているときに、第１のユーザが第１のＷｅｂページのボタンオブジェクト２０の何れかをボタン操作により選択したとする。このとき、第１の携帯電話１１ａは、当該ボタンオブジェクト２０に元々関係付けられていたアドレスと、第１のＷｅｂページが取得されたときに作成されたシーケンス番号「１」よりも１つ新しいシーケンス番号「２」と、共有ＩＤと、第１のユーザＩＤをプロキシサーバ１４に送信する。
【００６５】
プロキシサーバ１４は、アドレスと、シーケンス番号「２」と、共有ＩＤと、第１のユーザＩＤを受信すると、リクエスト受付処理を実行する。そして、プロキシサーバ１４は、リクエスト受付処理のステップＳ１４の処理において、共有ＩＤに関係付けられて記憶部１４ａに記憶されているシーケンス番号「２」と、第１の携帯電話１１ａから受信したシーケンス番号「２」を比較する。この場合、共有ＩＤに関係付けられて記憶部１４ａに記憶されているシーケンス番号「２」よりも第１の携帯電話１１ａから受信したシーケンス番号「２」の方が新しいということにはならないので、プロキシサーバ１４は、キャッシュアクセス処理を実行する。即ち、共有グループにて共有閲覧されているＷｅｂページが更新されているので、プロキシサーバ１４は、第１の携帯電話１１ａに表示されるＷｅｂページを共有閲覧されているＷｅｂページに更新するために、キャッシュアクセス処理を実行する。
【００６６】
プロキシサーバ１４は、キャッシュアクセス処理により、記憶部１４ａに記憶されている第２のＷｅｂページのページデータを第１の携帯電話１１ａに送信する。第１の携帯電話１１ａは、当該ページデータを受信すると、第２のＷｅｂページを表示する（図７（ｈ）参照）。これにより、共有グループに参加している第１のユーザ及び第２のユーザは、同じ第２のＷｅｂページを共有閲覧する（図７（ｈ），図７（ｐ）参照）。
【００６７】
以上詳述したように、第一実施形態は、以下の効果を奏する。
（１）プロキシサーバ１４は、記憶部１４ａに共有グループ内で共有閲覧するＷｅｂページのページデータを共有ＩＤに関係付けて記憶し、携帯電話１１からアドレスを受信した際、共有ＩＤと関係付けられたシーケンス番号と、携帯電話１１から受信したシーケンス番号とを比較して、Ｗｅｂページが更新されたか否か判定した。つまり、プロキシサーバ１４は、記憶部１４ａに記憶され、共有グループ内にて共有閲覧しているＷｅｂページと、送信元の携帯電話１１にて表示されているＷｅｂページが一致するか否か判定した。そして、プロキシサーバ１４は、携帯電話１１から受信したシーケンス番号の方が新しい場合、即ち、共有グループにて共有閲覧しているＷｅｂページと、送信元の携帯電話１１にて表示されているＷｅｂページが一致しない場合、共有ＩＤに関係付けられて記憶部１４ａに記憶されているＷｅｂページのページデータを携帯電話１１に送信した。このように、記憶部１４ａに共有グループ内で共有閲覧するＷｅｂページのページデータを記憶し、各携帯電話１１に当該ページデータを送信するようにしたので、Ｗｅｂサーバ１３においてＷｅｂページの内容が動的に変更されても、共有グループ内では、完全に同一のＷｅｂページを共有閲覧することができる。
【００６８】
また、携帯電話１１からアドレスが送信されることを契機に、プロキシサーバ１４は、Ｗｅｂページ固有のシーケンス番号を比較することにより、送信元の携帯電話１１に表示されているＷｅｂページと、記憶部１４ａに記憶されているＷｅｂページとが同じものか否か判定している。このため、Ｗｅｂページを指定するアドレスを入力するたびに、共有グループに存在するユーザを判断して各ユーザの携帯電話１１にアドレスを転送するような特別なソフトウェアを携帯電話１１に備えなくても、共有グループ内で共有閲覧しているＷｅｂページを表示することができる。従って、携帯電話１１に負担をかけなくても同一のＷｅｂページを共有閲覧することができる。
【００６９】
（２）携帯電話１１に共有グループ内で共有閲覧するＷｅｂページが表示されているときに、携帯電話１１のボタン操作にて、プロキシサーバ１４にアドレスが送信すると、共有閲覧するＷｅｂページを更新することができる。そして、このＷｅｂページが更新された状態で、共有グループ内の他のユーザが自分の携帯電話１１に表示されているＷｅｂページにおいて、いずれかのボタンオブジェクト２０を選択すると、更新されたＷｅｂページを携帯電話１１に表示することができる。このため、携帯電話１１に特別なソフトウェアを備えて、ユーザの携帯電話１１間でアドレスを直接転送し、当該アドレスに基づいて共有閲覧するＷｅｂページを更新する必要がなくなる。このため、携帯電話１１の処理負担を軽減しつつ、共有閲覧するＷｅｂページの更新を実現できる。
【００７０】
（３）プロキシサーバ１４がボタンオブジェクト２０に関係付けられたアドレスを書き換えるという処理を行うことにより、携帯電話１１が特別な処理を行わなくても、つまり、制御負担を掛けることなく、Ｗｅｂページを指定するアドレスをプロキシサーバ１４に転送することができる。また、ユーザは、Ｗｅｂページに表示されているいずれのボタンオブジェクト２０を選択しても、現在携帯電話１１にて共有グループ内で共有閲覧しているＷｅｂページを表示していなければ、共有閲覧しているＷｅｂページを簡単に取得することができる。
（第二実施形態）
次に、本発明を具体化した第二実施形態を説明する。尚、第一実施形態と同様の構成は、第一実施形態と同じ符号を付してその詳細な説明及び図面は省略する。
【００７１】
第二実施形態のプロキシサーバ１４の記憶部１４ａは、各ユーザが現在携帯電話１１に表示しているＷｅｂページのページデータを記憶するために、ユーザＩＤごとに最新のＷｅｂページのページデータを関係付けて記憶している。そして、プロキシサーバ１４は、外部アクセス処理において、ページデータを書き換える際、共有グループに属する他のユーザを指定して、当該ユーザの携帯電話１１にて表示されているＷｅｂページのページデータを要求することができるボタンオブジェクト２０ａ（図１１参照、以下、閲覧ボタン２０ａという）を追加するようになっている。そして、この閲覧ボタン２０ａが選択されることにより、プロキシサーバ１４は、キャッシュアクセス処理を実行し、ボタンオブジェクト２０ａにより指定されたユーザのユーザＩＤに関係付けられて記憶部１４ａに記憶されているページデータを送信するようになっている。
【００７２】
以下、第二実施形態の各種処理について説明する。
まず、図８に従って第二実施形態のリクエスト受付処理について説明する。
プロキシサーバ１４は、リクエスト受付処理を実行すると、ＩＤ管理部１４ｂを参照して、ユーザから取得したユーザＩＤ（又は共有開始処理において生成したユーザＩＤ）が有効に存在するか否か判定する（ステップＳ１０１）。このステップＳ１０１の判定結果が否定であれば、エラーとしてリクエスト受付処理を終了する。一方、ステップＳ１０１の判定結果が肯定の場合、プロキシサーバ１４は、キャッシュフラグが設定されているか否か判定する（ステップＳ１０２）。このステップＳ１０２の判定結果が肯定の場合、プロキシサーバ１４は、キャッシュアクセス処理を実行する（ステップＳ１０３）。
【００７３】
ステップＳ１０２の判定結果が否定の場合、プロキシサーバ１４は、アドレスと共に受信した送信元のユーザＩＤに関係付けられたシーケンス番号を、ＩＤ管理部１４ｂにおいて携帯電話１１から受信したユーザＩＤと関係付けられて記憶されているシーケンス番号と比較し、一致するか否か判定するようになっている（ステップＳ１０４）。このステップＳ１０４の判定結果が肯定の場合（一致する場合）、プロキシサーバ１４は、キャッシュアクセス処理を実行し（ステップＳ１０３）、否定の場合（一致しない場合）、外部アクセス処理を実行するようになっている（ステップＳ１０５）。
【００７４】
次に、図９に従って第二実施形態の外部アクセス処理について説明する。外部アクセス処理は、記憶部１４ａに閲覧先のユーザが閲覧しているＷｅｂページのページデータが存在しないとき、又は、ユーザが現在閲覧しているＷｅｂページを更新するために実行される処理である。
【００７５】
プロキシサーバ１４は、外部アクセス処理を実行すると、まず、携帯電話１１から受信したアドレスに基づいてＷｅｂサーバ１３にアクセスし、アドレスにより指定されたＷｅｂページのページデータを取得する（ステップＳ２０１）。次に、プロキシサーバ１４は、送信元のユーザのユーザＩＤに関係付けられるシーケンス番号を新たに生成する（ステップＳ２０２）。
【００７６】
そして、プロキシサーバ１４は、取得したＷｅｂページの中にアドレスが関係付けられたボタンオブジェクト２０が存在する場合、第一実施形態のリクエスト受付処理のステップＳ２３と同様に、当該アドレスを書き換えてリンク先をプロキシサーバ１４に変更すると共に、所定のパラメータを付加する。それと共に、プロキシサーバ１４は、他のユーザの携帯電話１１にて表示されているＷｅｂページを閲覧するための閲覧ボタン２０ａをＷｅｂページに追加する（ステップＳ２０３）。具体的には、プロキシサーバ１４は、アドレスが関係付けられたボタンオブジェクト２０が存在する場合、当該アドレスの代わりにプロキシサーバ１４を指定するアドレスに変更し、ボタンオブジェクト２０が選択されることにより、プロキシサーバ１４にデータ（パラメータ）が送信されるようにする。そして、プロキシサーバ１４は、元々ボタンオブジェクト２０に関係付けられていたアドレスがプロキシサーバ１４にパラメータとして送信されるように、ボタンオブジェクト２０に関係付けられたアドレスに元々ボタンオブジェクト２０に関係付けられていたアドレスを付加する。また、プロキシサーバ１４は、ボタンオブジェクト２０が選択されることでユーザのユーザＩＤと、ユーザが所属する共有グループの共有ＩＤと、ステップＳ２０２の処理で生成したシーケンス番号より１つ新しいシーケンス番号がプロキシサーバ１４にパラメータとして送信されるように、ボタンオブジェクト２０に関係付けられたアドレスに付加する。
【００７７】
また、プロキシサーバ１４は、外部参照データが関係付けられたボタンオブジェクト２０が存在する場合、当該ボタンオブジェクト２０が選択されることにより、プロキシサーバ１４にキャッシュフラグと共に当該外部参照データを指定するアドレスが送信されるように、パージデータを書き換える。
【００７８】
さらに、プロキシサーバ１４は、共有ＩＤ、送信元のユーザＩＤ、ステップＳ２０２で生成したシーケンス番号及び閲覧先のユーザのユーザＩＤと共に、閲覧先のユーザの携帯電話１１にて表示されているＷｅｂページのページデータの送信を指示する指示コマンドを送信する閲覧ボタン２０ａが、表示されるようにページデータを変更する。従って、ステップＳ２０３の処理で作成したＷｅｂページを携帯電話１１にて表示すると、図１１に示すように、閲覧先のユーザ毎に閲覧ボタン２０ａが表示される。尚、閲覧先のユーザのユーザＩＤは、ユーザが所属する共有グループに属するユーザのユーザＩＤ、即ち、送信元のユーザのユーザＩＤに関係付けられている共有ＩＤに関係付けられたユーザＩＤである。
【００７９】
そして、プロキシサーバ１４は、ステップＳ２０３の処理にて作成したページデータをユーザＩＤと関連付けて記憶部１４ａに記憶すると共に、ＩＤ管理部１４ｂにおいて、送信元のユーザのユーザＩＤに関連付けられて記憶されているシーケンス番号をステップＳ２０２の処理にて生成されたシーケンス番号に書き換える（ステップＳ２０４）。
【００８０】
このステップＳ２０４の処理により、ユーザＩＤに関係付けられるシーケンス番号は、他のＷｅｂサーバ１３からＷｅｂページのページデータを取得する毎に更新され、Ｗｅｂページに対応した固有の番号となる。そして、ＩＤ管理部１４ｂにユーザＩＤと関係付けられて記憶されているシーケンス番号は、各ユーザＩＤに関係付けられて記憶されているＷｅｂページ、即ち、各ユーザがそれぞれ現在閲覧しているＷｅｂページを示している。このため、ステップＳ１０４にて、送信元のユーザＩＤに関係付けられたシーケンス番号と、受信したシーケンス番号を判定することにより、外部のＷｅｂサーバ１３から取得したページデータを送信すべきか、又は、記憶部１４ａから他のユーザのユーザＩＤに関係付けられて記憶されたページデータを送信すべきかを判断することができる。
【００８１】
そして、プロキシサーバ１４は、ステップＳ２０４の処理で記憶部１４ａに記憶したＷｅｂページのページデータをユーザの携帯電話１１に送信し（ステップＳ２０５）、外部アクセス処理を終了する。
【００８２】
次に、第二実施形態のキャッシュアクセス処理について図１０に従って説明する。キャッシュアクセス処理は、閲覧先のユーザが現在携帯電話１１に表示しているＷｅｂページのページデータを携帯電話１１に提供するための処理である。そして、キャッシュアクセス処理は、リクエスト受付処理のステップＳ１０４の判定結果が肯定の場合、つまり、ユーザの携帯電話１１から受信したシーケンス番号と、当該ユーザのユーザＩＤに関係付けられたシーケンス番号が一致する場合に実行される。
【００８３】
プロキシサーバ１４は、キャッシュアクセス処理が実行されると、携帯電話１１から受信したデータの中にキャッシュフラグが設定されているか否か判定する（ステップＳ３００）。この判定結果が否定の場合、プロキシサーバ１４は、ユーザＩＤと関連付けられて記憶部１４ａに記憶されているＷｅｂページのページデータを読み出す（ステップＳ３０１）。そして、プロキシサーバ１４は、読み出したページデータをユーザの携帯電話１１に送信し（ステップＳ３０２）、キャッシュアクセス処理を終了する。一方、ステップＳ３００の判定結果が肯定の場合、プロキシサーバ１４は、キャッシュフラグが設定されたデータと共に受信した外部参照データを指定するアドレスに基づいて記憶部１４ａから外部参照データを取得し、携帯電話１１に当該外部参照データを送信する（ステップＳ３０３）。
【００８４】
次に、ユーザが共有グループを作成した後、第１のユーザが、第２の携帯電話１１ｂにて表示されているＷｅｂページを第１の携帯電話１１ａで閲覧するまでの態様について説明する。図１１（ａ）〜図１１（ｂ）までは、第１の携帯電話１１ａが表示するＷｅｂページの遷移を示したものである。また、図１１（ｃ）〜図１１（ｄ）までは、第２の携帯電話１１ｂが表示するＷｅｂページの遷移を示したものであり、それぞれ、図１１（ａ）〜図１１（ｂ）に対応する。つまり、第１の携帯電話１１ａに図１１（ａ）に示すＷｅｂページが表示された時、第２の携帯電話１１ｂには、図１１（ｃ）に示すＷｅｂページが表示されていることとなり、また、第１の携帯電話１１ａに図１１（ｂ）に示すＷｅｂページが表示された時、第２の携帯電話１１ｂには、図１１（ｄ）に示すＷｅｂページが表示されていることとなる。また、図１１の最上段に、第１のユーザＩＤに関係付けられてプロキシサーバ１４の記憶部１４ａに記憶されているページデータのシーケンス番号（図１１では、第１のシーケンス番号）と、第２のユーザＩＤに関係付けられて記憶部１４ａに記憶されているページデータのシーケンス番号（図１１では、第２のシーケンス番号）を記載している。
【００８５】
第２の携帯電話１１ｂに第２のＷｅｂページが表示され（図１１（ａ）参照）、第１の携帯電話１１ａに第１のＷｅｂページが表示されている（図１１（ｃ）参照）ときに、第１のユーザが第１のＷｅｂページと共に表示されている第２のユーザを閲覧先として指定する閲覧ボタン２０ａをボタン操作により選択したとする。このとき、第１の携帯電話１１ａは、第１のＷｅｂページが取得されたときに作成されたシーケンス番号「１」と、共有ＩＤと、閲覧先の第２のユーザＩＤをプロキシサーバ１４に送信する。
【００８６】
プロキシサーバ１４は、アドレスと、シーケンス番号「１」と、共有ＩＤと、第２のユーザＩＤを受信すると、リクエスト受付処理を実行する。そして、プロキシサーバ１４は、リクエスト受付処理のステップＳ１０４の処理において、第１のユーザＩＤに関係付けられて記憶部１４ａに記憶されている第１のシーケンス番号「１」と、第１の携帯電話１１ａから受信したシーケンス番号「１」を比較する。この場合、第１のシーケンス番号「１」と一致するので、プロキシサーバ１４は、キャッシュアクセス処理を実行する。即ち、第２の携帯電話１１ｂで表示されているＷｅｂページ（第２のＷｅｂページ）の送信を要求されたので、プロキシサーバ１４は、キャッシュアクセス処理を実行する。
【００８７】
プロキシサーバ１４は、キャッシュアクセス処理により、第２のユーザＩＤに関係付けられて記憶部１４ａに記憶されている第２のＷｅｂページのページデータ（即ち、第２のシーケンス番号が示すページデータ）を第１の携帯電話１１ａに送信する。第１の携帯電話１１ａは、当該ページデータを受信すると、第２のＷｅｂページを表示する（図１１（ｂ）参照）。これにより、第１のユーザ及び第２のユーザは、同じ第２のＷｅｂページを共有閲覧する（図１１（ｂ），図１１（ｄ）参照）。
【００８８】
以上詳述したように、第二実施形態は、以下の効果を奏する。
（１）プロキシサーバ１４は、各ユーザＩＤ毎に各ユーザが現在閲覧しているＷｅｂページを記憶部１４ａに記憶した。このため、ユーザが携帯電話１１にて閲覧ボタン２０ａを選択することにより、プロキシサーバ１４は、閲覧ボタン２０ａで指定されたユーザの携帯電話１１にて表示されているＷｅｂページを送信することが可能となり、ユーザは、閲覧ボタン２０ａで指定したユーザの携帯電話１１にて表示されているＷｅｂページを共有閲覧することができる。
【００８９】
（２）Ｗｅｂページのページデータを変更して、閲覧先のユーザのユーザＩＤ等を送信する閲覧ボタン２０ａを追加するので、携帯電話１１にアドレスを転送するような特別なソフトウェアを備える必要がなく、負担をかけることなく、Ｗｅｂページをユーザ間で共有閲覧することができる。
【００９０】
尚、上記実施形態は、次のような別の実施形態（別例）にて具体化できる。
○上記実施形態のＷｅｂページが、アドレスを入力することができるテキストボックスを有していても良い。但し、この場合、プロキシサーバ１４は、テキストボックスにアドレスを入力すると、共有ＩＤ，ユーザＩＤ及びシーケンス番号を入力したアドレスと共にプロキシサーバ１４に送信されるように、携帯電話１１に送信するＷｅｂページを書き換える必要がある。
【００９１】
○上記第二実施形態の外部アクセス処理のステップＳ２３において、ボタンオブジェクト２０に関係付けられたアドレスを書き換え、所定のパラメータを付加したが、閲覧ボタン２０ａが表示されるようにページデータを書き換えるのならば、ボタンオブジェクト２０の変更を行わなくても良い。
【００９２】
○上記実施形態では、ネットワークとしてインターネットを採用したが、ＬＡＮ（Local Area Network）等を採用しても良い。
○上記第二実施形態では、閲覧先のユーザの携帯電話１１にて表示されているＷｅｂページと閲覧元のユーザの携帯電話１１にて表示されているＷｅｂページが一致しているか否か判定せずに、プロキシサーバ１４は、Ｗｅｂページを送信していた。この別例として、ユーザＩＤごとに関係付けられたＷｅｂページ固有のシーケンス番号を比較することにより、閲覧先のユーザの携帯電話１１にて表示されているＷｅｂページと閲覧元のユーザの携帯電話１１にて表示されているＷｅｂページが一致しているか否か判定してもよい。この場合、プロキシサーバ１４は、一致しないときのみＷｅｂページのページデータを送
信することとなる。
【００９３】
○上記第一実施形態では、ページデータを示すアドレスが関係付けられたボタンオブジェクト２０を書き換える際、パラメータとしてページデータ固有のシーケンス番号よりも１つ新しいシーケンス番号を付加していたが、ページデータ固有のシーケンス番号を関係付けても良い。この場合、リクエスト受付処理のステップＳ１４において、共有ＩＤに関係付けられたシーケンス番号と、携帯電話１１から受信したシーケンス番号が一致するか否か判定することとなる。そして、ステップＳ１４において、共有ＩＤに関係付けられたシーケンス番号と、携帯電話１１から受信したシーケンス番号が一致する場合に（この場合、携帯電話１１には共有閲覧しているＷｅｂページが表示されていることとなる）、プロキシサーバ１４は、共有閲覧するＷｅｂページを更新するために、外部アクセス処理を実行する。その一方、一致しない場合（この場合、携帯電話１１には共有閲覧しているＷｅｂページが表示されていないこととなる）、プロキシサーバ１４は、共有閲覧されているＷｅｂページを提供するために、キャッシュアクセス処理を実行する。
【００９４】
○上記実施形態において、シーケンス番号は、連続する自然数であったが、プロキシサーバ１４が、その順番を把握することができるならば、連続する自然数でなくてもよい。また、シーケンス番号を暗号化してプロキシサーバ１４だけその順番を判断できるようにしても良い。
【００９５】
次に、上記実施形態及び別例から把握できる技術的思想を以下に追記する。
（イ）使用端末のボタン操作で選択されることにより、ユーザ番号と、当該ユーザの使用端末にて表示されているＷｅｂページのページデータの送信を指定する指示コマンドを送信するボタンオブジェクトが表示されるように、前記使用端末に送信するＷｅｂページのページデータを変更する変更手段を備えたことを特徴とする請求項４に記載の情報共有化装置。
【００９６】
（ロ）使用端末にてＷｅｂページのページデータを指定するアドレスが入力又は選択された場合に、当該アドレスを前記情報共有装置が受信することができるように、Ｗｅｂページのページデータを変更する変更手段を備えたことを特徴とする請求項１又は請求項２に記載の情報共有化装置。
【図面の簡単な説明】
【００９７】
【図１】情報共有化システムを示すブロック図。
【図２】共有開始処理の流れを示すフローチャート。
【図３】リクエスト受付処理の流れを示すフローチャート。
【図４】外部アクセス処理の流れを示すフローチャート。
【図５】キャッシュアクセス処理の流れを示すフローチャート。
【図６】（ａ）〜（ｄ）は、第１の携帯電話に表示される画面の遷移を示す模式図、（ｉ）〜（ｌ）は、第２の携帯電話に表示される画面の遷移を示す模式図。
【図７】（ｅ）〜（ｈ）は、第１の携帯電話に表示される画面の遷移を示す模式図、（ｍ）〜（ｐ）は、第２の携帯電話に表示される画面の遷移を示す模式図。
【図８】第二実施形態のリクエスト受付処理の流れを示すフローチャート。
【図９】第二実施形態の外部アクセス処理の流れを示すフローチャート。
【図１０】第二実施形態のキャッシュアクセス処理の流れを示すフローチャート。
【図１１】（ａ）〜（ｂ）は、第１の携帯電話に表示される画面の遷移を示す模式図、（ｃ）〜（ｄ）は、第２の携帯電話に表示される画面の遷移を示す模式図。
【符号の説明】
【００９８】
１１…携帯電話（使用端末）、１１ａ…第１の携帯電話（使用端末）、１１ｂ…第２の携帯電話（使用端末）、１２…インターネット（ネットワーク）、１３…Ｗｅｂサーバ、１４…プロキシサーバ（情報共有化装置）、２０…ボタンオブジェクト、２０ａ…閲覧ボタン。
【図１】
2005275528.tif 000003
【図２】
2005275528.tif 000004
【図３】
2005275528.tif 000005
【図４】
2005275528.tif 000006
【図５】
2005275528.tif 000007
【図６】
2005275528.tif 000008
【図７】
2005275528.tif 000009
【図８】
2005275528.tif 000010
【図９】
2005275528.tif 000011
【図１０】
2005275528.tif 000012
【図１１】
2005275528.tif 000013